(57)【要約】      （修正有）【課題】行動に制限のある者が車椅子の上で直接排便、排尿ができ、車椅子に乗り降りせずとも自分で排便、排尿、及び洗浄を行え、患者の尊厳が守られ、且つ利便性を有する排尿、排便が可能な折り畳み式車椅子を提供する。【解決手段】排尿、排便が可能な折り畳み式車椅子は、シート４０の中間部に排出口４１、シート底面に排尿、排便装置６０が設けられる。排尿、排便装置は、シート底面及びバックサポート５０の後側面に平行に設置される２本のＬ字型レール６１と、排出口の下方に設置されると共に２本のＬ字型レールに沿って移動される可撓性遮蔽板６２と、可撓性遮蔽板を引いて排出口を開かせて排便、排尿に使用させるための少なくとも１つのプル部材と、排出口の両側に設置される複数のフックと、フックに掛けられて排泄物を受け取るために用いられる収容袋７０とを備える。【選択図】図３
0003208915.tif 000002
【実用新案登録請求の範囲】
【請求項１】
後端には２つの把手部を有し、両側には肘掛け部を有する折り畳み可能な車椅子フレームと、
前記車椅子フレームに枢接され、交差して枢接される複数の折り畳み部材を有することにより、前記車椅子フレームが展開されて定位及び折り畳みが行われる折り畳みユニットと、
前記車椅子フレームの間に連結される折り畳み可能なシートと、
前記車椅子フレームのバックパイプに装設される折り畳み可能なバックサポートと、
前記車椅子フレームの外側にそれぞれ枢設される２つの大車輪と、
前記車椅子フレームの前端下方にそれぞれ枢接される２つのキャスターとを備える排尿、排便が可能な折り畳み式車椅子であって、
前記シートの中間部の人体臀部に対応される位置には排出口が設けられ、前記シートの底面に排尿排便装置が設置され、前記排尿排便装置は、
ａ）平行状を呈して前記シートの底面及び前記バックサポートの後側面に固設され、Ｃ字型溝が設けられ、且つＣ字型溝の切欠き部は対向して対応し合う状態を呈すると共に前記排出口の両側に位置される２本のＬ字型レールと、
ｂ）前記排出口の下方に設置され、且つその面積は前記排出口より大きく、左右両側には前記Ｃ字型溝に嵌入されるＴ字型滑動ブロックが設けられ、前記２本のＬ字型レールの間に定位されると共に前記２本のＬ字型レールに沿って移動される可撓性遮蔽板と、
ｃ）前記可撓性遮蔽板の後端に連結され、前記可撓性遮蔽板を引いて前記排出口の下方から移動させることにより前記排出口を開かせて排便、排尿に使用させるための少なくとも１つのプル部材と、
ｄ）配列状を呈して対向して対応し合うように前記排出口の両側に設置される複数のフックと、
ｅ）防水性材質で構成され、前記排出口より大きい開口部を有し、且つ前記開口部の両側には前記フックに対応される位置に複数の穴が設けられ、これにより前記開口部が開かれた状態で前記フックに掛けられて排泄物を受け取るために使用される収容袋と、
を含むことを特徴とする排尿、排便が可能な折り畳み式車椅子。
【請求項２】
洗浄装置を更に備え、前記洗浄装置は、
前記可撓性遮蔽板の底縁の前方に設置され、且つ前記可撓性遮蔽板に追随して移動され、前記可撓性遮蔽板が前記排出口の下方から移動されると、前記排出口に向けられるスプレーヘッドと、
前記バックサポートに分離可能に掛着され、ボトル口が加圧ヘッドに連結される水容器と、
一端が前記加圧ヘッドに連結され、他端が前記スプレーヘッドに連結されるチューブと、
を備えることを特徴とする、請求項１に記載の排尿、排便が可能な折り畳み式車椅子。
【請求項３】
前記バックサポートの後側面には前記水容器の拘持に用いられるベルトが更に設置されることを特徴とする、請求項２に記載の排尿、排便が可能な折り畳み式車椅子。
【請求項４】
前記プル部材は、
前記Ｌ字型レールのＣ字型溝内にそれぞれ設置され、底部が前記可撓性遮蔽板の後端に連結され、且つ上部が前記Ｌ字型レールから突出される２本のひもと、
前記バックサポートの後側面に設けられると共に前記Ｌ字型レールの上方に対向され、上が広く下が狭くなると共に開口部が下に向けられる弾性クリップを有し、且つ前記弾性クリップの中間部の幅部にはスルーホールが設けられて、前記ひもが通されると共に前記弾性クリップの挟持力により前記ひもが挟まれて固定される２つのクリップ部と、
前記弾性クリップの外側に対称になるように設置され、その上方が内に向けて圧縮される場合、前記弾性クリップの開口部が開かれることにより前記ひもに対する挟持力が解除される２つのハンドルと、
前記Ｌ字型レールのＣ字型溝内にそれぞれ設置され、一端が前記可撓性遮蔽板の前端に連結され、他端が前記Ｌ字型レールの前端または前記シートの底面に固定されて、これにより前記可撓性遮蔽板に対する前に向けた引張力を有する２つのバンドと、
を備えることを特徴とする、請求項１〜請求項３のうちいずれか一項に記載の排尿、排便が可能な折り畳み式車椅子。
【請求項５】
前記収容袋の開口部には１つ以上のジッパーが更に設けられることを特徴とする、請求項１〜請求項４のうちいずれか一項に記載の排尿、排便が可能な折り畳み式車椅子。
【考案の詳細な説明】
【技術分野】
【０００１】
本考案は、車椅子に関し、更に詳しくは、行動が不便な者が車椅子の上で直接排尿、排便ができるようになる排尿、排便が可能な折り畳み式車椅子に関する。
【背景技術】
【０００２】
高齢化時代の到来により、行動が不自由な者にとって車椅子は移動に欠かせないものとなっている。このため、市場では様々な車椅子が開発され、多様な使用者の需要を満たしている。
【０００３】
図１は普遍的に使用されている従来の車椅子１０の外観図である。携帯の利便性及び収納するための空間も考慮し、折り畳み可能な車椅子１０には対称を呈する２つのフレーム１１の間にＸ字形を呈する折り畳み部材１２が枢設され、且つ各フレーム１１の両側には大車輪１３がそれぞれ設置され、フレーム１１の前方の底部にはキャスター１４が設置される。また、２つのフレーム１１の間にはシート１５が水平に設置され、フレーム１１の後上方にはバックパイプ１６が設置され、バックパイプ１６の上部には把手部１７が装設される。２つのバックパイプ１６の間にはバックサポート１８が覆設され、車椅子が長距離運送または収納される場合、車椅子の折り畳み部材の折り畳み構造を利用して２つのフレームの間隔が縮小されることにより、車椅子全体の体積が縮小され、運送しやすくなる。しかしながら、行動が不便な者が排尿、排便をする場合、車椅子１０を押してトイレに行って排尿、排便を行わなければならない。また、患者の両足が不便な場合、看護人員または家族の助けを得て便器に座らせねばならないため、家族及び患者にとって大きな問題であった。
【０００４】
また、例えば、特許文献１には、排尿、排便が可能な折り畳み式車椅子１０Ａが記載されている。上記の従来の車椅子１０との差異は、座車椅子フレーム１２０が前記２つの可動ロッド１２１に装設され、前記座車椅子フレーム１２０の上方にはシート１３０が装設され、下方には便器１４０が装設され、これにより、使用者は車椅子１０Ａで用を足せる点である（図２及び図２Ｂ参照）。
【先行技術文献】
【特許文献】
【０００５】
【特許文献１】台湾特許出願第Ｍ３８２１２２号明細書
【考案の概要】
【考案が解決しようとする課題】
【０００６】
しかしながら、このような構造設計では、使用者が車椅子１０Ａの上で直接排尿、排便を行えるが、シート１３０がプラスチックで成形され、且つ排泄穴１３１を有するため、車椅子１０Ａを折り畳む際にはシート１３０及び便器１４０を取り外さねばならず、使用上不便であった。また、シート１３０の排泄穴１３１は固定式の開口部であるため、使用者が車椅子１０Ａで用を足すのではなく、図１に示すような普通の車椅子１０として使用する場合、不便で実用的ではなかった。このような特許は台湾特許出願第Ｍ３８８９３２号明細書「便器機能を有する組み合わせ式車椅子構造」等の前案にも見られる。よって、便器が付加されるか便器機能を有する従来の車椅子には、全て取り外し及び装設を行わねばならないという使用上の不便さの問題点があり、このため改善の余地があった。
【０００７】
そこで、本考案者は上記の欠点が改善可能と考え、鋭意検討を重ねた結果、合理的設計で上記の課題を効果的に改善する本考案の提案に到った。
【０００８】
本考案は、このような従来の問題に鑑みてなされたものである。上記課題解決のため、本考案は、排尿、排便が可能な折り畳み式車椅子を提供することを主目的とする。すなわち、行動が不便な者が車椅子の上で直接排尿、排便を行えるようになり、且つ平時には普通の車椅子として使用できる。また、折り畳まれて収納可能であり、携帯にも便利である。
【課題を解決するための手段】
【０００９】
上述した課題を解決し、目的を達成するために、本考案に係る排尿、排便が可能な折り畳み式車椅子は、
後端には２つの把手部を有し、両側には肘掛け部を有する折り畳み可能な車椅子フレームと、
前記車椅子フレームに枢接され、交差して枢接される複数の折り畳み部材を有することにより、前記車椅子フレームが展開されて定位及び折り畳みが行われる折り畳みユニットと、
前記車椅子フレームの間に連結される折り畳み可能なシートと、
前記車椅子フレームのバックパイプに装設される折り畳み可能なバックサポートと、
前記車椅子フレームの外側にそれぞれ枢設される２つの大車輪と、
前記車椅子フレームの前端下方にそれぞれ枢接される２つのキャスターとを備える排尿、排便が可能な折り畳み式車椅子であって、
前記シートの中間部の人体臀部に対応される位置には排出口が設けられ、前記シートの底面に排尿排便装置が設置され、前記排尿排便装置は、
ａ）平行状を呈して前記シートの底面及び前記バックサポートの後側面に固設され、Ｃ字型溝が設けられ、且つＣ字型溝の切欠き部は対向して対応し合う状態を呈すると共に前記排出口の両側に位置される２本のＬ字型レールと、
ｂ）前記排出口の下方に設置され、且つその面積は前記排出口より大きく、左右両側には前記Ｃ字型溝に嵌入されるＴ字型滑動ブロックが設けられ、前記２本のＬ字型レールの間に定位されると共に前記２本のＬ字型レールに沿って移動される可撓性遮蔽板と、
ｃ）前記可撓性遮蔽板の後端に連結され、前記可撓性遮蔽板を引いて前記排出口の下方から移動させることにより前記排出口を開かせて排便、排尿に使用させるための少なくとも１つのプル部材と、
ｄ）配列状を呈して対向して対応し合うように前記排出口の両側に設置される複数のフックと、
ｅ）防水性材質で構成され、前記排出口より大きい開口部を有し、且つ前記開口部の両側には前記フックに対応される位置に複数の穴が設けられ、これにより開口部が開かれた状態で前記フックに掛けられて排泄物を受け取るために使用される収容袋と、
を含むことを特徴とする。
【００１０】
また、洗浄装置を更に備え、前記洗浄装置は、
前記可撓性遮蔽板の底縁の前方に設置され、且つ前記可撓性遮蔽板に追随して移動され、前記可撓性遮蔽板が前記排出口の下方から移動されると、前記排出口に向けられるスプレーヘッドと、
前記バックサポートに分離可能に掛着され、ボトル口が加圧ヘッドに連結される水容器と、
一端が前記加圧ヘッドに連結され、他端が前記スプレーヘッドに連結されるチューブと、
を備える。
【００１１】
上記の技術手段により、本考案は、平時には普通の車椅子と同じように折り畳み収納可能であり、車に乗せて携帯するのに便利である。使用者が排便、排尿をする場合、車椅子上で直接操作して排尿排便装置を開いて排尿、排便を行える。更には、洗浄装置により使用者の臀部を洗浄することができ、患者が車椅子に乗り降りせずとも自分で排便、排尿、及び洗浄が行える。このため、患者の尊厳が守られ、利便性が高く、且つ看護人員または家族にとっても負担が軽減される、いわば人に優しい設計を有する車椅子である。
【図面の簡単な説明】
【００１２】
【図１】従来の車椅子を示す外観斜視図である。
【図２Ａ】従来の排尿、排便が可能な折り畳み式車椅子を示す展開図である。
【図２Ｂ】従来の排尿、排便が可能な折り畳み式車椅子を示す構成図である。
【図３】本考案の好ましい実施形態を正面から見た外観斜視図である。
【図４】本考案の好ましい実施形態を後面から見た外観斜視図である。
【図４Ａ】本考案のプル部材の一部の部材を示す斜視図である。
【図４Ｂ】本考案のプル部材の一部の部材を示す斜視図である。
【図５】本考案の排尿排便装置を後面から見た外観斜視図である。
【図５Ａ】本考案の収容袋を示す外観斜視図である。
【図６】本考案の排尿排便装置が閉合となる状態を示す底面図である。
【図７】本考案の排尿排便装置が閉合となる状態を示す平面図である。
【図８Ａ】図７に示す８Ａ−８Ａを示す断面図である。
【図８Ｂ】図８Ａに示す８Ｂを示す拡大図である。
【図８Ｃ】図７に示す８Ｃ−８Ｃを示す断面図である。
【図８Ｄ】図８Ｃに示す８Ｄを示す拡大図である。
【図８Ｅ】図８Ｄに示す８Ｅを示す拡大図である。
【図８Ｆ】図８Ｄに示す８Ｆを示す拡大図である。
【図９】本考案の排尿排便装置が開放となる状態を示す底部の斜視図である。
【図１０】本考案の排尿排便装置が開放となる状態を示す斜視図である。
【図１１】本考案の排尿排便装置が開放となる状態を示す平面図である。
【図１２Ａ】図１１に示す１２Ａ−１２Ａを示す断面図である。
【図１２Ｂ】図１１に示す１２Ｂ−１２Ｂを示す断面図である。
【図１３Ａ】本考案の収容袋が開放となる状態を示す概略図である。
【図１３Ｂ】本考案の収容袋が閉合となる状態を示す概略図である。
【図１４】本考案が折り畳まれて収納された後を示す斜視図である。
【考案を実施するための形態】
【００１３】
以下に図面を参照して、本考案を実施するための形態について、詳細に説明する。なお、本考案は、以下に説明する実施形態に限定されるものではない。
【００１４】
（第１実施形態）
以下、第１実施形態を図３〜１３に基づいて説明する。本考案の排尿、排便が可能な折り畳み式車椅子９０は、好ましい実施形態では、後端には２つの把手部２１を有し、両側には肘掛け部２２を有する折り畳み可能な車椅子フレーム２０と、車椅子フレーム２０に枢接され、交差して枢接される複数の折り畳み部材３１を有することにより、車椅子フレーム２０が堅固に展開されて定位及び折り畳みが行われる折り畳みユニット３０と、車椅子フレーム２０の間に連結される折り畳み可能なシート４０と、車椅子フレーム２０のバックパイプ２３に装設される折り畳み可能なバックサポート５０と、車椅子フレーム２０の外側にそれぞれ枢設される２つの大車輪２４と、車椅子フレーム２０の前端の下方にそれぞれ枢接される２つのキャスター２５とを備える。但し、上記の構成は車椅子の先行技術（Ｐｒｉｏｒ  ａｒｔ）に含まれ、本考案の特許の目的ではないため、詳述は省く。
【００１５】
本考案の主な特徴を以下に述べる。
シート４０の中間部の人体臀部に対応される位置には排出口４１が設けられる。シート４０の底面には排尿排便装置６０が設置され、排尿排便装置６０は、２本のＬ字型レール６１と、可撓性遮蔽板６２と、少なくとも１つのプル部材６４と、複数のフック６３とを更に備える。２本のＬ字型レール６１は平行状を呈してシート４０の底面及びバックサポート５０の後側面に固設され、Ｌ字型レール６１にはＣ字型溝６１１が設けられ、且つ２本のＬ字型レール６１のＣ字型溝６１１の切欠き部６１２は対向して対応し合う状態を呈すると共に排出口４１の両側に位置される（図８Ａ、図８Ｂ及び図８Ｃ参照）。本実施形態では、２本のＬ字型レール６１はリベット４２によりシート４０の底面及びバックサポート５０の後側面に結合され、但し、これに限られず、例えば、２本のＬ字型レール６１及びバックサポート５０の後側面に面ファスナー(図示せず)が用いられて相互に連結されてもよく、これにより、後述の車椅子の折り畳み収納が行いやすくなる。可撓性遮蔽板６２は排出口４１の下方に設置され、且つその面積は排出口４１より大きく、可撓性遮蔽板６２の左右両側にはＣ字型溝６１１に嵌入されるＴ字型滑動ブロック６２１が設けられることにより(図８Ｂ参照)、可撓性遮蔽板６２が２本のＬ字型レール６１の間に定位されると共に２本のＬ字型レール６１に沿って移動される。少なくとも１つのプル部材６４は、可撓性遮蔽板６２の後端に連結され、可撓性遮蔽板６２を引いて排出口４１の下方から移動させることにより排出口４１を開かせて排便、排尿に使用させるために用いられる。複数のフック６３は配列状を呈すると共に対向して対応し合うように排出口４１の両側に設置される。
【００１６】
なお、本実施形態では、図４、図４Ａ、及び図４Ｂに示すように、プル部材６４は、２本のひも６５と、２つのクリップ部６６と、２つのハンドル６６４と、２つのバンド６７とを備える。２本のひも６５は、Ｌ字型レール６１のＣ字型溝６１１内にそれぞれ設置され、底部６５１が可撓性遮蔽板６２の後端に連結され(図８Ｅ参照)、且つ上部６５２がＬ字型レール６１から突出される。
２つのクリップ部６６は、バックサポート５０の後側面に設置されると共にＬ字型レール６１の上方に対向され、上が広く下が狭くなると共に開口部が下に向けられる弾性クリップ６６１を有し、且つ弾性クリップ６６１の中間部の幅部６６２にはスルーホール６６３が設けられている。スルーホール６６３に、ひも６５が通されると共に弾性クリップの挟持力によりひも６５が挟まれて固定される。
２つのハンドル６６４は、弾性クリップ６６１の外側に対称になるように設置され、その上方が内に向けて圧縮される場合、弾性クリップ６６１の開口部が開かれることによりひも６５に対する挟持力が解除され、本実施形態では、クリップ部６６は従来の『バインダークリップ』の中間部の幅部６６２にスルーホール６６３が増設されることにより構成される（図８Ｆ参照）。
２つのバンド６７は、Ｌ字型レール６１のＣ字型溝６１１内にそれぞれ設置され、その第一端６７１は可撓性遮蔽板６２の前端に連結され、第二端６７２はＬ字型レール６１の前端またはシート４０の底面に固定され、これにより可撓性遮蔽板６２に対する前に向けた引張力を有する。
【００１７】
さらに、図５及び図５Ａ、図９及び図１３Ａに示すように、収容袋７０は防水性材質で構成され、排出口４１より大きい開口部７１を有し、且つ開口部７１の両側にはフック６３に対応される位置に複数の穴７２が設けられ、これにより収容袋７０の開口部７１が開かれた状態でフック６３に掛けられて、排泄物を受け取るために使用される。本実施形態では、収容袋７０の開口部７１には２つのジッパー７３が設置され、穴７２の上方及び下方が分離しにくいように、また、図１３Ｂに示すように、使用後に開口部７１が密閉しやすくなるようにしている。
【００１８】
よって、プル部材６４のひも６５が上に引っ張られると、可撓性遮蔽板６２が連動されて後に向けて移動され、排出口４１が開かれて排便、排尿に使用される。反対に、クリップ部６６が解放されると、可撓性遮蔽板６２がバンド６７の引張力により前に向けて図８Ａ乃至８Ｆに示すように戻され、閉合されて排出口４１が閉められる（図１１、図１２Ａ及び図１２Ｂ参照）。
【００１９】
このほか、本実施形態では、バックパイプ２３の中段箇所には曲げ可能な部材２３１が設置され、但しこれに限定されず、これにより車椅子が折り畳まれて収納される際に、バックパイプ２３が湾曲されて高さが低くなる。２本のＬ字型レール６１が平行状を呈してシート４０の両側に固設され、シート４０及びバックサポート５０は軟性プラスチック材または皮革であり、且つ可撓性遮蔽板６２は可撓性体である。このため、本考案に係る排尿、排便が可能な折り畳み式車椅子９０は、普通の車椅子と同様になり、機能に影響はない。更には、患者が外出する場合、車椅子を車に載せるが、この際、本考案は図１４に示すように、水容器８２が折り畳まれた後に収納された状態になり、車で携帯しやすくなる。本実施形態では、車椅子が折り畳まれて収納しやすくなるように、図１０に示すように、シート４０及びバックサポート５０の所定の箇所に複数の折線４３または切り溝が設けられ、これにより、普通の車椅子と同様に使用できるようになり、軽妙で便利になる。
【００２０】
図４乃至図７を参照すれば、本考案には、使用者の臀部の洗浄に用いられる洗浄装置８０が更に設置される。洗浄装置８０は、可撓性遮蔽板６２の底縁の前方に設置されると共に可撓性遮蔽板６２に追随して移動され、可撓性遮蔽板６２が排出口４１の下方から移動されると、排出口４１に向けられるスプレーヘッド８１と、バックサポート５０に分離可能に掛着され、ボトル口８２１が加圧ヘッド８３に連結される水容器８２と、一端が加圧ヘッド８３に連結され、他端がスプレーヘッド８１に連結されるチューブ８４とを更に備える。これにより、可撓性遮蔽板６２が後に向けて移動された後、スプレーヘッド８１により臀部の洗浄が行われる。本実施形態では、スプレーヘッド８１及びチューブ８４は、可撓性遮蔽板６２の底面に設置される複数の固定部材６２２により挟持されて定位される。
【００２１】
以上のとおり、図４に示すように、バックサポート５０の後側面にはベルト５１が更に設置される。ベルト５１は、一般的な市販の肩ひもまたは車のシートベルトで構成され、このベルト５１により水容器８２が拘持される。水容器８２に水がない場合、ベルト５１を外すのみで水容器８２が取り外せ、洗浄用水の補充ができる。こうして、本考案に記載の車椅子は、排尿、排便が可能なほか、車椅子の上で直接自動的に洗浄できる。
【００２２】
本考案に係る排尿排便装置６０の２本のＬ字型レール６１が平行状を呈してシート４０の底面及びバックサポート５０の後側面に固設されるため、本考案に係る排尿排便装置６０は車椅子の正常な機能に影響を及ぼさす、その構造設計が従来の車椅子と融合される。このため、平時では普通の車椅子として使用でき、外出する際に車に載せる場合には、図１４に示すように、折り畳まれて収納されて、車に積んで携帯しやすくなる。また、使用者が排便、排尿をする場合、車椅子上で直接操作することで、排尿排便装置６０を開いて排尿、排便が行える。また、洗浄装置８０により使用者の臀部が洗浄され、患者が車椅子に乗り降りすることなく自分で排便、排尿、及び洗浄が行えるようになり、患者の尊厳が守られ、利便性も向上し、且つ看護人員や家族にとっても負担が軽減される、人に優しい設計を有する車椅子である。
【００２３】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２４】
２０  車椅子フレーム
２１  把手部
２２  肘掛け部
２３  バックパイプ
２３１  曲げ可能な部材
２４  大車輪
２５  キャスター
３０  折り畳みユニット
３１  折り畳み部材
４０  シート
４１  排出口
４２  リベット
４３  折線
５０  バックサポート
５１  ベルト
６０  排尿排便装置
６１  Ｌ字型レール
６１１  Ｃ字型溝
６１２  切欠き部
６２  可撓性遮蔽板
６２１  Ｔ字型滑動ブロック
６２２  固定部材
６３  フック
６４  プル部材
６５  ひも
６５１  底部
６５２  上部
６６  クリップ部
６６１  弾性クリップ
６６２  幅部
６６３  スルーホール
６６４  ハンドル
６７  バンド
６７１  第一端
６７２  第二端
７０  収容袋
７１  開口部
７２  穴
７３  ジッパー
８０  洗浄装置
８１  スプレーヘッド
８２  水容器
８２１  ボトル口
８３  加圧ヘッド
８４  チューブ
９０  排尿、排便が可能な折り畳み式車椅子
【図１】
0003208915.tif 000003
【図２Ａ】
0003208915.tif 000004
【図２Ｂ】
0003208915.tif 000005
【図３】
0003208915.tif 000006
【図４】
0003208915.tif 000007
【図４Ａ】
0003208915.tif 000008
【図４Ｂ】
0003208915.tif 000009
【図５】
0003208915.tif 000010
【図５Ａ】
0003208915.tif 000011
【図６】
0003208915.tif 000012
【図７】
0003208915.tif 000013
【図８Ａ】
0003208915.tif 000014
【図８Ｂ】
0003208915.tif 000015
【図８Ｃ】
0003208915.tif 000016
【図８Ｄ】
0003208915.tif 000017
【図８Ｅ】
0003208915.tif 000018
【図８Ｆ】
0003208915.tif 000019
【図９】
0003208915.tif 000020
【図１０】
0003208915.tif 000021
【図１１】
0003208915.tif 000022
【図１２Ａ】
0003208915.tif 000023
【図１２Ｂ】
0003208915.tif 000024
【図１３Ａ】
0003208915.tif 000025
【図１３Ｂ】
0003208915.tif 000026
【図１４】
0003208915.tif 000027